(57)【要約】【課題】エンジンの前回の失火の影響を受けずにＨＣ排出量を精度良く推定する。【解決手段】エンジン１１の各気筒の燃焼行程毎に筒内圧力センサ２２で検出した筒内圧力に基づいて失火レベル［燃焼状態の悪化度合を評価するパラメータ（例えば熱発生量最大値等）］を算出し、各気筒毎に前回の失火レベルが所定値を越えて悪化したか否かを判定する。その結果、前回の失火レベルが所定値を越えていない場合には、気筒内に残留するＨＣ量が極めて少ないため、今回の失火レベルに基づいて今回のＨＣ排出量を推定する。一方、前回の失火レベルが所定値を越えて悪化した場合には、気筒内に残留するＨＣ量が比較的多いため、前回の失火レベルと今回の失火レベルとに基づいて今回のＨＣ排出量を推定することで、前回の失火レベルに応じた残留ＨＣ量と今回の失火レベルに応じた未燃ＨＣ発生量の両方を考慮して今回のＨＣ排出量を推定する。【選択図】図１
2010121515.tif 000002
【特許請求の範囲】
【請求項１】
内燃機関の各気筒の燃焼行程毎に筒内圧力に基づいて燃焼状態の悪化度合を評価するパラメータ（以下「失火レベル」という）を算出する失火レベル算出手段と、
内燃機関の各気筒毎に前記失火レベル算出手段により算出した今回の失火レベルに基づいて今回の炭化水素（以下「ＨＣ」と表記する）の排出量を推定するＨＣ排出量推定手段とを備え、
前記ＨＣ排出量推定手段は、前記失火レベル算出手段により算出した前回の失火レベルが所定値を越えて悪化した場合に、当該前回の失火レベル又はこれに関連性のある情報（以下これらを「前回の失火レベル情報」と総称する）と、今回の失火レベルとに基づいて今回のＨＣ排出量を推定することを特徴とする内燃機関の制御装置。
【請求項２】
前記ＨＣ排出量推定手段は、前記失火レベル算出手段により算出した前回の失火レベルが所定値を越えて悪化した場合に、今回の失火レベルに基づいて推定した今回のＨＣ排出量の推定値を、前記前回の失火レベル情報に応じた補正量を用いて補正することを特徴とする請求項１に記載の内燃機関の制御装置。
【請求項３】
前記ＨＣ排出量推定手段は、前記補正量を今回の失火レベルに応じて変化させることを特徴とする請求項２に記載の内燃機関の制御装置。
【請求項４】
内燃機関の各気筒の燃焼行程毎に筒内圧力に基づいて燃焼状態の悪化度合を評価するパラメータ（以下「失火レベル」という）を算出する失火レベル算出手段と、
内燃機関の各気筒毎に前記失火レベル算出手段により算出した今回の失火レベルに基づいて今回の炭化水素（以下「ＨＣ」と表記する）の排出量を推定するＨＣ排出量推定手段と、
前記失火レベル算出手段により算出した前回の失火レベルが所定値を越えて悪化した場合に、前記ＨＣ排出量推定手段による今回のＨＣ排出量の推定を禁止する禁止手段と
を備えていることを特徴とする内燃機関の制御装置。
【発明の詳細な説明】
【技術分野】
【０００１】
本発明は、内燃機関の各気筒の炭化水素（以下「ＨＣ」と表記する）の排出量を推定する機能を備えた内燃機関の制御装置に関する発明である。
【背景技術】
【０００２】
近年、内燃機関の排出ガスのＨＣ濃度を検出するＨＣ濃度センサを用いずにＨＣ濃度を算出する技術として、例えば、特許文献１（特開２００７−２０５２７４号公報）に記載されているように、各気筒の筒内圧力（燃焼状態の情報）に基づいて筒内から排出される未燃燃料の割合を算出し、筒内に供給される燃料量と、未燃燃料の割合と、排気通路で燃焼する燃料量とに基づいて排出ガス浄化用の触媒に流入する排出ガスのＨＣ濃度を算出するようにしたものがある。
【特許文献１】特開２００７−２０５２７４号公報（第２頁等）
【発明の開示】
【発明が解決しようとする課題】
【０００３】
一般に、図２（ａ）に示すように、内燃機関の燃焼状態が悪化して熱発生量が小さくなるほど未燃ＨＣの発生量が増加してＨＣ排出量が増加する傾向がある。このような特性に着目して、本発明者は、各気筒の燃焼行程毎に筒内圧力に基づいて失火レベル［燃焼状態の悪化度合を評価するパラメータ（例えば熱発生量等）］を算出し、各気筒毎に失火レベルに基づいてＨＣ排出量を推定する技術を研究しているが、その研究過程で次のような新たな課題が判明した。
【０００４】
図２（ｂ）に示すように、燃焼行程で失火が発生した気筒では、未燃ＨＣの発生量が大きく増加して、ＨＣ排出量が大きく増加すると共に気筒内に残留するＨＣ量も大きく増加するため、その影響で、次の燃焼行程では燃焼状態の悪化度合が小さくて熱発生量が大きい割にＨＣ排出量が多くなって、失火レベル（燃焼状態の悪化度合）とＨＣ排出量との関係が変化してしまうことがある。このような場合、前回の失火の影響を考慮せずに今回の失火レベルに基づいて今回のＨＣ排出量を推定するだけでは、ＨＣ排出量を精度良く推定できないことが判明した。
【０００５】
また、上記特許文献１の技術においても、筒内圧力に基づいて筒内から排出される未燃燃料の割合を算出する際に、前回の失火の影響を考慮していないため、前回の燃焼行程で失火が発生した気筒では、筒内から排出される未燃燃料の割合（つまりＨＣ排出量の情報）を精度良く算出できないという欠点がある。
【０００６】
本発明は、このような事情を考慮してなされたものであり、従って本発明の目的は、前回の失火の影響を受けずにＨＣ排出量を精度良く推定することができる内燃機関の制御装置を提供することにある。
【課題を解決するための手段】
【０００７】
上記目的を達成するために、請求項１に係る発明は、内燃機関の各気筒の燃焼行程毎に筒内圧力に基づいて燃焼状態の悪化度合を評価するパラメータ（以下「失火レベル」という）を失火レベル算出手段により算出し、内燃機関の各気筒毎に失火レベル算出手段により算出した今回の失火レベルに基づいて今回の炭化水素（以下「ＨＣ」と表記する）の排出量をＨＣ排出量推定手段により推定するシステムにおいて、失火レベル算出手段により算出した前回の失火レベルが所定値を越えて悪化した場合に、当該前回の失火レベル又はこれに関連性のある情報（以下これらを「前回の失火レベル情報」と総称する）と、今回の失火レベルとに基づいて今回のＨＣ排出量を推定するようにしたものである。
【０００８】
この構成では、前回の失火レベルが所定値を越えていない場合（前回の燃焼状態が比較的良好な場合）には、気筒内に残留するＨＣ量が極めて少ないため、その影響をほとんど受けず、今回の失火レベルに応じて未燃ＨＣの発生量が変化して今回のＨＣ排出量が変化すると判断して、今回の失火レベルに基づいて今回のＨＣ排出量を推定するものであり、これにより、ＨＣ排出量を精度良くする推定することができる。
【０００９】
一方、前回の失火レベルが所定値を越えて悪化した場合（前回の燃焼状態の悪化度合が比較的大きい場合）には、気筒内に残留するＨＣ量が比較的多いため、その影響によっても今回のＨＣ排出量が変化すると判断して、前回の失火レベル情報と今回の失火レベルとに基づいて今回のＨＣ排出量を推定する。前回の失火レベルに応じて気筒内に残留するＨＣ量が変化するため、本発明のように、前回の失火レベル情報と今回の失火レベルとに基づいて今回のＨＣ排出量を推定すれば、前回の失火レベルに応じた残留ＨＣ量と、今回の失火レベルに応じた未燃ＨＣ発生量の両方を考慮して今回のＨＣ排出量を精度良く推定することができる。これにより、前回の失火により残留ＨＣ量が増加しても、その影響を受けずにＨＣ排出量を精度良く推定することができる。
【００１０】
本発明は、前回の失火レベルが所定値を越えて悪化した場合に、前回の失火レベル情報と今回の失火レベルの両方を用いて、直接、今回のＨＣ排出量を推定するようにしても良いが、請求項２のように、前回の失火レベルが所定値を越えて悪化した場合に、今回の失火レベルに基づいて推定した今回のＨＣ排出量の推定値を、前回の失火レベル情報に応じた補正量を用いて補正するようにしても良い。このようにしても、前回の失火レベルが所定値を越えて悪化した場合に、前回の失火レベルに応じた残留ＨＣ量と、今回の失火レベルに応じた未燃ＨＣ発生量の両方を考慮して今回のＨＣ排出量を精度良く推定することができる。
【００１１】
この場合、請求項３のように、今回のＨＣ排出量の推定値を前回の失火レベル情報に応じて補正するための補正量を今回の失火レベルに応じて変化させるようにしても良い。このようにすれば、前回の失火レベル情報と今回の失火レベルの両方に応じた補正量を用いて、今回のＨＣ排出量の推定値を補正することが可能となり、前回と今回の両方で失火が連続して発生した場合でも、今回のＨＣ排出量を精度良く推定することができる。
【００１２】
また、請求項４のように、内燃機関の各気筒の燃焼行程毎に筒内圧力に基づいて燃焼状態の悪化度合を評価するパラメータ（失火レベル）を失火レベル算出手段により算出し、内燃機関の各気筒毎に失火レベル算出手段により算出した今回の失火レベルに基づいて今回のＨＣ排出量をＨＣ排出量推定手段により推定するシステムにおいて、失火レベル算出手段により算出した前回の失火レベルが所定値を越えて悪化した場合に、ＨＣ排出量推定手段による今回のＨＣ排出量の推定を禁止手段により禁止するようにしても良い。このようにすれば、今回の失火レベルに基づいて今回のＨＣ排出量を推定するシステムにおいて、前回の失火の影響を受けて今回のＨＣ排出量の推定精度が低下することを未然に防止することができる。
【発明を実施するための最良の形態】
【００１３】
以下、本発明を実施するための最良の形態を具体化した幾つかの実施例を説明する。
【実施例１】
【００１４】
本発明の実施例１を図１乃至図５に基づいて説明する。
まず、図１に基づいてエンジン制御システム全体の概略構成を説明する。
内燃機関であるエンジン１１の吸気管１２の上流部には、吸入空気量を検出するエアフローメータ１３が設けられている。このエアフローメータ１３の下流側には、モータ（図示せず）によって開度調節されるスロットルバルブ１４と、このスロットルバルブ１４の開度（スロットル開度）を検出するスロットル開度センサ１５とが設けられている。
【００１５】
更に、エンジン１１の各気筒に空気を導入する吸気マニホール１６の吸気ポート近傍に、それぞれ燃料を噴射する燃料噴射弁１７が取り付けられている。また、エンジン１１のシリンダヘッドには、各気筒毎に点火プラグ１８が取り付けられ、各点火プラグ１８の火花放電によって筒内の混合気に着火される。
【００１６】
また、エンジン１１のシリンダブロックには、冷却水温を検出する冷却水温センサ１９が取り付けられ、クランク軸（図示せず）の外周側には、クランク軸が所定クランク角回転する毎にパルス信号を出力するクランク角センサ２０が取り付けられている。このクランク角センサ２０の出力信号に基づいてクランク角やエンジン回転速度が検出される。また、アクセルセンサ２１によってアクセル操作量（アクセルペダルの踏込量）が検出される。
【００１７】
更に、エンジン１１のシリンダヘッドには、各気筒毎に筒内圧力を検出する筒内圧力センサ２２が設けられている。この筒内圧力センサ２２は、点火プラグ１８と一体化したタイプのものを用いても良いし、点火プラグ１８とは別体のセンサ部を燃焼室内に臨ませるように取り付けるタイプのものを用いても良い。
【００１８】
これら各種センサの出力は、エンジン制御回路（以下「ＥＣＵ」と表記する）２３に入力される。このＥＣＵ２３は、マイクロコンピュータを主体として構成され、内蔵されたＲＯＭ（記憶媒体）に記憶された各種のエンジン制御プログラムを実行することで、エンジン運転状態に応じて燃料噴射弁１７の燃料噴射量や点火プラグ１８の点火時期を制御する。
【００１９】
一般に、図２（ａ）に示すように、エンジン１１の燃焼状態が悪化して熱発生量が小さくなるほど未燃ＨＣの発生量が増加してＨＣ排出量が増加する傾向がある。しかし、図２（ｂ）に示すように、燃焼行程で失火が発生した気筒では、未燃ＨＣの発生量が大きく増加して、ＨＣ排出量が大きく増加すると共に気筒内に残留するＨＣ量も大きく増加するため、その影響で、次の燃焼行程では燃焼状態の悪化度合が小さくて熱発生量が大きい割にＨＣ排出量が多くなることがある。
【００２０】
そこで、本実施例１では、ＥＣＵ２３によって後述する図３のＨＣ排出量推定ルーチンを実行することで、各気筒のＨＣ排出量を次のようにして推定する。
まず、各気筒の燃焼行程毎に筒内圧力センサ２２で検出した筒内圧力に基づいて失火レベル［燃焼状態の悪化度合を評価するパラメータ（例えば熱発生量等）］を算出し、各気筒毎に前回の失火レベルが所定値を越えて悪化した状態（例えば半失火又は完全失火の状態）であるか否かを判定する。
【００２１】
その結果、前回の失火レベルが所定値を越えていない場合（前回の燃焼状態が比較的良好な場合）には、気筒内に残留するＨＣ量が極めて少ないため、その影響をほとんど受けず、今回の失火レベルに応じて未燃ＨＣ発生量が変化して今回のＨＣ排出量が変化すると判断して、今回の失火レベルに基づいて今回のＨＣ排出量を推定することで、ＨＣ排出量を精度良くする推定する。
【００２２】
一方、前回の失火レベルが所定値を越えて悪化した場合（前回の燃焼状態の悪化度合が比較的大きい場合）には、気筒内に残留するＨＣ量が比較的多いため、その影響によっても今回のＨＣ排出量が変化すると判断して、前回の失火レベルと今回の失火レベルとに基づいて今回のＨＣ排出量を推定する。前回の失火レベルに応じて気筒内に残留するＨＣ量が変化するため、本実施例１のように、前回の失火レベルと今回の失火レベルとに基づいて今回のＨＣ排出量を推定すれば、前回の失火レベルに応じた残留ＨＣ量と、今回の失火レベルに応じた未燃ＨＣ発生量の両方を考慮して今回のＨＣ排出量を精度良く推定することができる。
【００２３】
以上説明した本実施例１のＨＣ排出量の推定は、ＥＣＵ２３によって図３のＨＣ排出量推定ルーチンに従って実行される。以下、このルーチンの処理内容を説明する。
図３に示すＨＣ排出量推定ルーチンは、ＥＣＵ２３によってエンジン運転中に各気筒の燃焼行程毎に繰り返し実行され、特許請求の範囲でいうＨＣ排出量推定手段としての役割を果たす。本ルーチンが起動されると、まず、ステップ１０１で、各気筒の燃焼行程毎に筒内圧力センサ２２で検出した筒内圧力に基づいて失火レベル（燃焼状態の悪化度合を評価するパラメータ）を算出する。このステップ１０１の処理が特許請求の範囲でいう失火レベル算出手段としての役割を果たす。
【００２４】
この場合、例えば、筒内圧力と筒内容積と比熱比に基づいて所定期間における熱発生量最大値を算出し、この熱発生量最大値を失火レベルとする。尚、所定期間における熱発生量平均値や総熱発生量等を失火レベルとしても良い。或は、圧縮上死点前の所定時期における筒内圧力と、圧縮上死点後の所定時期における筒内圧力との比又は差に基づいて燃焼効率を算出し、この燃焼効率を失火レベルとしても良い。或は、筒内圧力と筒内容積とに基づいて図示平均有効圧力又は正味平均有効圧力を算出し、この図示平均有効圧力又は正味平均有効圧力を失火レベルとしても良い。その他、燃焼状態の悪化度合に応じて変化する種々のパラメータを失火レベルとしても良い。
【００２５】
この後、ステップ１０２に進み、各気筒毎に前回の失火レベルが所定値よりも小さいか否かによって、前回の失火レベルが所定値を越えて悪化した状態（例えば半失火又は完全失火の状態）であるか否かを判定する。
【００２６】
このステップ１０２で、前回の失火レベルが所定値を越えていないと判定された場合（前回の燃焼状態が比較的良好な場合）には、気筒内に残留するＨＣ量が極めて少ないため、その影響をほとんど受けず、今回の失火レベルに応じて未燃ＨＣ発生量が変化して今回のＨＣ排出量が変化すると判断して、ステップ１０３に進み、図４に示す通常時のＨＣ排出量のマップ又は数式等を用いて、今回の失火レベルに応じた今回のＨＣ排出量を算出（推定）する。
【００２７】
図４に示す通常時のＨＣ排出量のマップ又は数式等は、予め設計データ、試験データ、シミュレーションデータ等に基づいて作成され、ＥＣＵ２３のＲＯＭに記憶されている。一般に、今回の失火レベルが小さくなるほど（燃焼の悪化度合が大きくなるほど）、未燃ＨＣの発生量が増加して今回のＨＣ排出量が増加するため、通常時のＨＣ排出量のマップ又は数式等は、今回の失火レベルが小さくなるほど今回のＨＣ排出量が増加するように設定されている。また、通常時のＨＣ排出量のマップ又は数式等をエンジン運転条件（例えば、燃料噴射量、エンジン回転速度、エンジン負荷等）毎に作成しておき、現在のエンジン運転条件に応じたマップ又は数式等を選択して今回のＨＣ排出量を算出するようにしても良い。
【００２８】
一方、上記ステップ１０２で、前回の失火レベルが所定値を越えて悪化したと判定された場合（前回の燃焼状態の悪化度合が比較的大きい場合）には、気筒内に残留するＨＣ量が比較的多いため、その影響によっても今回のＨＣ排出量が変化すると判断して、ステップ１０４に進み、図５に示す前回失火時のＨＣ排出量のマップ又は数式等を用いて、前回の失火レベルと今回の失火レベルとに応じた今回のＨＣ排出量を算出（推定）する。
【００２９】
図５に示す前回失火時のＨＣ排出量のマップ又は数式等は、予め設計データ、試験データ、シミュレーションデータ等に基づいて作成され、ＥＣＵ２３のＲＯＭに記憶されている。マップの設定方法の例としては、前回と今回の失火レベルが小さくなるほど（燃焼の悪化度合が大きくなるほど）、気筒内に残留するＨＣ量が増加して今回のＨＣ排出量が多くなるよう設定する。また、前回と今回の失火レベルが大きくなるほど（燃焼の悪化度合が小さくなるほど）、気筒内に残留するＨＣ量が減少して、今回のHC排出量が小さくなるよう設定する。また、前回失火時のＨＣ排出量のマップ又は数式等をエンジン運転条件（例えば、燃料噴射量、エンジン回転速度、エンジン負荷等）毎に作成しておき、現在のエンジン運転条件に応じたマップ又は数式等を選択して今回のＨＣ排出量を算出するようにしても良い。
【００３０】
以上説明した本実施例１では、前回の失火レベルが所定値を越えて悪化した場合（前回の燃焼状態の悪化度合が比較的大きい場合）には、気筒内に残留するＨＣ量が比較的多いため、その影響によっても今回のＨＣ排出量が変化すると判断して、前回の失火レベルと今回の失火レベルとに基づいて今回のＨＣ排出量を推定するようにしたので、前回の失火レベルに応じた残留ＨＣ量と、今回の失火レベルに応じた未燃ＨＣ発生量の両方を考慮して今回のＨＣ排出量を推定することができ、前回の失火により残留ＨＣ量が増加しても、その影響を受けずにＨＣ排出量を精度良く推定することができる。
【実施例２】
【００３１】
次に、図６及び図７を用いて本発明の実施例２を説明する。但し、前記実施例１と実質的に同一部分については説明を省略又は簡略化し、主として前記実施例１と異なる部分について説明する。
【００３２】
本実施例２では、ＥＣＵ２３によって後述する図６のＨＣ排出量推定ルーチンを実行することで、今回の失火レベルに基づいて今回のＨＣ排出量を推定した後、前回の失火レベルが所定値を越えて悪化した状態（例えば半失火又は完全失火の状態）であるか否かを判定し、前回の失火レベルが所定値を越えて悪化した場合（前回の燃焼状態の悪化度合が比較的大きい場合）には、前回の失火レベルと今回の失火レベルとに基づいて補正量を算出し、この補正量を用いて今回のＨＣ排出量の推定値を補正するようにしている。
【００３３】
図６に示すＨＣ排出量推定ルーチンでは、まず、ステップ２０１で、各気筒の燃焼行程毎に筒内圧力センサ２２で検出した筒内圧力に基づいて失火レベル（燃焼状態の悪化度合を評価するパラメータ）を算出した後、ステップ２０２に進み、図４に示す通常時のＨＣ排出量のマップ又は数式等を用いて、今回の失火レベルに応じた今回のＨＣ排出量を算出（推定）する。
【００３４】
この後、ステップ２０３に進み、各気筒毎に前回の失火レベルが所定値よりも小さいか否かによって、前回の失火レベルが所定値を越えて悪化した状態（例えば半失火又は完全失火の状態）であるか否かを判定する。
【００３５】
このステップ２０３で、前回の失火レベルが所定値を越えていないと判定された場合（前回の燃焼状態が比較的良好な場合）には、今回の失火レベルに基づいて推定した今回のＨＣ排出量の推定値を補正することなくそのまま採用する。
【００３６】
一方、上記ステップ２０３で、前回の失火レベルが所定値を越えて悪化したと判定された場合（前回の燃焼状態の悪化度合が比較的大きい場合）には、ステップ２０４に進み、図７に示す前回失火時の補正量のマップ又は数式等を用いて、前回の失火レベルと今回の失火レベルとに応じた補正量を算出する。
【００３７】
図７に示す前回失火時の補正量のマップ又は数式等は、予め設計データ、試験データ、シミュレーションデータ等に基づいて作成され、ＥＣＵ２３のＲＯＭに記憶されている。マップの設定方法の例としては、前回と今回の失火レベルが小さくなるほど（燃焼の悪化度合が大きくなるほど）、気筒内に残留するＨＣ量が増加して今回のＨＣ排出量が多くなるよう設定する。また、前回と今回の失火レベルが大きくなるほど（燃焼の悪化度合が小さくなるほど）、気筒内に残留するＨＣ量が減少して、今回のHC排出量が小さくなるよう設定する。また、前回失火時の補正量のマップ又は数式等をエンジン運転条件（例えば、燃料噴射量、エンジン回転速度、エンジン負荷等）毎に作成しておき、現在のエンジン運転条件に応じたマップ又は数式等を選択して補正量を算出するようにしても良い。
【００３８】
補正量を算出した後、ステップ２０５に進み、その補正量を用いて、今回の失火レベルに基づいて推定した今回のＨＣ排出量の推定値を補正して、最終的な今回のＨＣ排出量の推定値を求める。
以上説明した本実施例２においても、前記実施例１とほぼ同じ効果を得ることができる。
【００３９】
更に、本実施例２では、前回の失火レベルと今回の失火レベルの両方に応じた補正量を用いて、今回のＨＣ排出量の推定値を補正するようにしたので、前回と今回の両方で失火が連続して発生した場合でも、今回のＨＣ排出量を精度良く推定することができる利点がある。
しかしながら、前回の失火レベルのみに応じて補正量を算出し、この補正量を用いて今回のＨＣ排出量の推定値を補正するようにしても良い。
【００４０】
また、上記各実施例１，２では、前回の失火レベルが所定値を越えて悪化した場合に、前回の失火レベルと今回の失火レベルとに基づいて今回のＨＣ排出量を推定するようにしたが、前回の失火レベルに関連性のある情報（例えば、前回のＨＣ排出量の推定値、前回の筒内圧等）と今回の失火レベルとに基づいて今回のＨＣ排出量を推定するようにしても良い。
【００４１】
また、本発明は、各気筒の燃焼行程毎に筒内圧力センサ２２で検出した筒内圧力に基づいて失火レベルを算出し、各気筒毎に今回の失火レベルに基づいて今回のＨＣ排出量を推定するシステムにおいて、前回の失火レベルが所定値を越えて悪化した場合に、今回のＨＣ排出量の推定を禁止するようにしても良い。この機能が禁止手段としての役割を果たす。このようにすれば、今回の失火レベルに基づいて今回のＨＣ排出量を推定するシステムにおいて、前回の失火の影響を受けて今回のＨＣ排出量の推定精度が低下することを未然に防止することができる。
【００４２】
その他、本発明は、図１に示すような吸気ポート噴射式エンジンに限定されず、筒内噴射式エンジンや、吸気ポート噴射用の燃料噴射弁と筒内噴射用の燃料噴射弁の両方を備えたデュアル噴射式のエンジンにも適用して実施できる。
【図面の簡単な説明】
【００４３】
【図１】本発明の実施例１におけるエンジン制御システム全体の概略構成図である。
【図２】燃焼状態（燃発生量）とＨＣ排出量との関係を説明する図である。
【図３】実施例１のＨＣ排出量推定ルーチンの処理の流れを説明するフローチャートである。
【図４】通常時のＨＣ排出量のマップの一例を概念的に示す図である。
【図５】前回失火時のＨＣ排出量のマップの一例を概念的に示す図である。
【図６】実施例２のＨＣ排出量推定ルーチンの処理の流れを説明するフローチャートである。
【図７】前回失火時の補正量のマップの一例を概念的に示す図である。
【符号の説明】
【００４４】
１１…エンジン（内燃機関）、１２…吸気管、１４…スロットルバルブ、１７…燃料噴射弁、１８…点火プラグ、２２…筒内圧力センサ、２３…ＥＣＵ（失火レベル算出手段，ＨＣ排出量推定手段，禁止手段）
【図１】
2010121515.tif 000003
【図２】
2010121515.tif 000004
【図３】
2010121515.tif 000005
【図４】
2010121515.tif 000006
【図５】
2010121515.tif 000007
【図６】
2010121515.tif 000008
【図７】
2010121515.tif 000009